(57)【要約】【課題】薄型化及び軽量化を図ることができるライトパネルを提供すること。【解決手段】本願発明のライトパネル１によれば、表示体６が導光板２と押さえ板５との間に挟持されて構成されているので、導光板２が光を所定方向へ導くための機能と表示体６を挟持するための機能とを同時に達成することができ、表示体６を挟持するための受け板を別途配設することを不要として、その分、ライトパネル１の薄型化及び軽量化を図ることができる。【選択図】図１
2007123133.tif 000002
【特許請求の範囲】
【請求項１】
表示体が載置される光照射面と、その光照射面へ向けて光を反射する光反射面とを両面に有し平板状に形成された導光板と、
その導光板の光照射面側に配設され、その導光板との間に前記表示体を挟持する平板状に形成された押さえ板と、
前記導光板の側面に配設され厚さがその側面以下に形成されると共に、その側面へ向けて光を照射する発光体とを備え、
その発光体から前記導光板の側面へ照射された光を前記光照射面から照射して、前記導光板と押さえ板との間に挟持された表示体を照射することを特徴とするライトパネル。
【請求項２】
前記導光板の側面にその導光板と一体に形成される導光板外枠部と、
その導光板外枠部の少なくとも一部に形成される収納部とを備え、
その収納部に前記発光体が収納されることを特徴とする請求項１記載のライトパネル。
【請求項３】
前記収納部は、前記導光板の厚み方向に貫通形成されていることを特徴とする請求項２記載のライトパネル。
【請求項４】
前記収納部について前記導光板の厚み方向両端側に配設される一対の反射板を備えていることを特徴とする請求項２又は３に記載のライトパネル。
【請求項５】
前記反射板は、断面略コの字状に形成され、前記発光体について前記導光板の厚み方向両端側及び前記発光体の照射方向後方側を覆うように構成されていることを特徴とする請求項４記載のライトパネル。
【請求項６】
前記導光板外枠部は、その側面と前記収納部とを連通する連通溝を備え、
その連通溝に前記発光体の配線が収納されることを特徴とする請求項２から５のいずれかに記載のライトパネル。
【請求項７】
前記連通溝は、前記導光板の光照射面側又は前記導光板の光反射面側を前記配線の厚み寸法値よりも大きく凹設して形成されていることを特徴とする請求項６記載のライトパネル。
【請求項８】
前記連通溝は、前記導光板の光照射面側を前記配線の厚み寸法値よりも大きく凹設して形成されていることを特徴とする請求項７記載のライトパネル。
【請求項９】
前記光反射面に配設される反射部材と、
前記発光体が光を照射する照射方向と直交する方向における前記導光板外枠部の側面に配設される側面反射部材とを備えていることを特徴とする請求項１から８のいずれかに記載のライトパネル。
【請求項１０】
前記反射部材は、前記光反射面に貼り付けられる薄膜状の反射フィルムにより構成されていることを特徴とする請求項９記載のライトパネル。
【請求項１１】
前記発光体は、発光ダイオードで構成されていることを特徴とする請求項１から１０のいずれかに記載のライトパネル。
【発明の詳細な説明】
【技術分野】
【０００１】
本発明は、ライトパネルに関し、特に、薄型化及び軽量化を図ることができるライトパネルに関するものである。
【背景技術】
【０００２】
一般に、ライトパネルは、写真フィルム等の表示体に光を照射して広告や照明等の用途に用いられるものである。従来のライトパネルは、光を所定方向に導くための導光板と、その導光板の厚み方向一端面側に配設される発光体と、その発光体に覆設されて発光体を保護するケース体と、導光板の厚み方向他端面側に配設されて表示体を挟持する押さえ板及び受け板とを備えて構成されるものであり、発光体から照射される光が導光板により所定方向に導かれ、押さえ板と受け板との間に挟持された表示体を照射する。
【０００３】
また、導光板の側面に発光体が配設されるタイプのライトパネルでは、発光体及び導光板にケース体が覆設され、表示体を挟持する押さえ板及び受け板とケース体とが締め付け固定される。
【発明の開示】
【発明が解決しようとする課題】
【０００４】
しかしながら、ライトパネルを狭いスペースや壁に配置する場合には、ライトパネルの薄型化及び軽量化が必要とされるが、上述した従来のライトパネルでは、導光板、発光体、ケース体、表示体、押さえ板及び受け板といった多くの部品により構成されるため、十分な薄型化及び軽量化を図ることが困難であるという問題点があった。
【０００５】
本発明は上述した問題点を解決するためになされたものであり、薄型化及び軽量化を図ることができるライトパネルを提供することを目的としている。
【課題を解決するための手段】
【０００６】
この目的を達成するために、請求項１記載のライトパネルは、表示体が載置される光照射面と、その光照射面へ向けて光を反射する光反射面とを両面に有し平板状に形成された導光板と、その導光板の光照射面側に配設され、その導光板との間に前記表示体を挟持する平板状に形成された押さえ板と、前記導光板の側面に配設され厚さがその側面以下に形成されると共に、その側面へ向けて光を照射する発光体とを備え、その発光体から前記導光板の側面へ照射された光を前記光照射面から照射して、前記導光板と押さえ板との間に挟持された表示体を照射するものである。
【０００７】
請求項２記載のライトパネルは、請求項１記載のライトパネルにおいて、前記導光板の側面にその導光板と一体に形成される導光板外枠部と、その導光板外枠部の少なくとも一部に形成される収納部とを備え、その収納部に前記発光体が収納されている。
【０００８】
請求項３記載のライトパネルは、請求項２記載のライトパネルにおいて、前記収納部は、前記導光板の厚み方向に貫通形成されている。
【０００９】
請求項４記載のライトパネルは、請求項２又は３に記載のライトパネルにおいて、前記収納部について前記導光板の厚み方向両端側に配設される一対の反射板を備えている。
【００１０】
請求項５記載のライトパネルは、請求項４記載のライトパネルにおいて、前記反射板は、断面略コの字状に形成され、前記発光体について前記導光板の厚み方向両端側及び前記発光体の照射方向後方側を覆うように構成されている。
【００１１】
請求項６記載のライトパネルは、請求項２から５のいずれかに記載のライトパネルにおいて、前記導光板外枠部は、その側面と前記収納部とを連通する連通溝を備え、その連通溝に前記発光体の配線が収納されている。
【００１２】
請求項７記載のライトパネルは、請求項６記載のライトパネルにおいて、前記連通溝は、前記導光板の光照射面側又は前記導光板の光反射面側を前記配線の厚み寸法値よりも大きく凹設して形成されている。
【００１３】
請求項８記載のライトパネルは、請求項７記載のライトパネルにおいて、前記連通溝は、前記導光板の光照射面側を前記配線の厚み寸法値よりも大きく凹設して形成されている。
【００１４】
請求項９記載のライトパネルは、請求項１から８のいずれかに記載のライトパネルにおいて、前記光反射面に配設される反射部材と、前記発光体が光を照射する照射方向と直交する方向における前記導光板外枠部の側面に配設される側面反射部材とを備えている。
【００１５】
請求項１０記載のライトパネルは、請求項９記載のライトパネルにおいて、前記反射部材は、前記光反射面に貼り付けられる薄膜状の反射フィルムにより構成されている。
【００１６】
請求項１１記載のライトパネルは、請求項１から１０のいずれかに記載のライトパネルにおいて、前記発光体は、発光ダイオードで構成されている。
【発明の効果】
【００１７】
請求項１記載のライトパネルによれば、発光体から照射される光が、光反射面により反射されつつ光照射面から照射されて表示体を照射する。ここで、発光体が導光板の側面に配設され、かつ、発光体の厚さが導光板の側面以下に形成されているので、発光体が導光板の光反射面側に配設される場合と比較して、発光体の厚さ分、ライトパネルの薄型化を図ることができるという効果がある。
【００１８】
また、表示体が導光板と押さえ板との間に挟持されて構成されているので、導光板が光を所定方向へ導くための機能と表示体を挟持するための機能とを同時に達成することができ、表示体を挟持するための受け板を別途配設することを不要として、その分、ライトパネルの薄型化及び軽量化を図ることができるという効果がある。
【００１９】
更に、受け板を別途配設することが不要となるので、部品点数を減少させて、その分、製品コストの低減及び製造能率の向上を図ることができるという効果がある。
【００２０】
請求項２記載のライトパネルによれば、請求項１記載のライトパネルの奏する効果に加え、導光板と一体に形成される導光板外枠部の少なくとも一部に収納部が形成され、その収納部に発光体が収納されるので、発光体を保護するためのカバー部材を別途配設することを不要として、その分、ライトパネルの薄型化及び軽量化を図ることができるという効果がある。
【００２１】
また、カバー部材を別途配設することが不要となるので、部品点数を減少させて、その分、製品コストの低減及び製造能率の向上を図ることができるという効果がある。
【００２２】
請求項３記載のライトパネルは、請求項２記載のライトパネルの奏する効果に加え、収納部が導光板の厚み方向に貫通形成されているので、導光板外枠部の片面側のみを凹設して収納部を形成する場合と比較して、収納部の加工を容易として、その分、加工コストの低減を図ることができるという効果がある。
【００２３】
請求項４記載のライトパネルは、請求項２又は３に記載のライトパネルの奏する効果に加え、収納部について導光板の厚み方向両端側に配設される一対の反射板を備えているので、反射板が収納部について導光板の厚み方向両端側に照射される光を外部に漏出することなく反射させて、光照射面における輝度を確保することができるという効果がある。
【００２４】
請求項５記載のライトパネルは、請求項４記載のライトパネルの奏する効果に加え、反射板が断面略コの字状に形成され、発光体について導光板の厚み方向両端側及び発光体の照射方向後方側を覆うように構成されているので、発光体を反射板に配設した状態で収納部に収納することができる。
【００２５】
ここで、反射板が収納部について導光板の厚み方向両端側に配設される場合では、発光体を収納部に収納する収納工程と、その収納工程の後で反射板を収納部についての導光板の厚み方向両端側にそれぞれ配設する反射板配設工程とを行う必要がある。
【００２６】
これに対し、反射板が断面略コの字状に形成されている場合では、上述したように、発光体を反射板に配設した状態で収納部に収納することができるので、作業工程を減少させて、その分、作業能率の向上を図ることができるという効果がある。
【００２７】
請求項６記載のライトパネルは、請求項２から５のいずれかに記載のライトパネルの奏する効果に加え、導光板外枠部の側面と収納部とを連通する連通溝に発光体の配線が収納されるように構成されているので、配線が導光板外枠部からはみ出すことを防止して、その分、ライトパネル全体の厚さが厚くなることを防止することができるという効果がある。
【００２８】
請求項７記載のライトパネルは、請求項６記載のライトパネルの奏する効果に加え、連通溝が導光板の光照射面側又は導光板の光反射面側を配線の厚み寸法値よりも大きく凹設して形成されているので、連通溝が導光板外枠部において導光板の厚み方向に貫通形成されて導光板外枠部の剛性が低下することを抑制して、導光板外枠部が損傷することを抑制することができるという効果がある。
【００２９】
請求項８記載のライトパネルは、請求項７記載のライトパネルの奏する効果に加え、連通溝が導光板の光照射面側を配線の厚み寸法値よりも大きく凹設して形成されているので、連通溝に収納された配線を導光板の光照射面側に配設される押さえ板により保持することができる。
【００３０】
その結果、配線を連通溝内に保持するための保持部材を別途配設することが不要となるので、部品点数を減少させて、その分、製品コストの低減及び製造能率の向上を図ることができるという効果がある。
【００３１】
請求項９記載のライトパネルは、請求項１から８のいずれかに記載のライトパネルの奏する効果に加え、光反射面に反射部材が配設されているので、反射部材が光反射面に照射される光を外部に漏出させることなく反射させて、光照射面における輝度を確保することができるという効果がある。
【００３２】
また、発光体が光を照射する照射方向と直交する方向における導光板外枠部の側面に側面反射部材が配設されているので、側面反射部材が貼り付けられた側面から光を外部に漏出させることなく反射させて、光照射面における輝度を確保することができるという効果がある。
【００３３】
請求項１０記載のライトパネルは、請求項９記載のライトパネルの奏する効果に加え、反射部材が光反射面に貼り付けられる薄膜状の反射フィルムで構成されているので、導光板の厚さが厚くなることを抑制して、その分、ライトパネル全体の厚さが厚くなることを抑制することができるという効果がある。
【００３４】
請求項１１記載のライトパネルは、請求項１から１０のいずれかに記載のライトパネルの奏する効果に加え、発光体が発光ダイオードで構成されているので、発光体が発光ダイオードと同じ大きさの白熱電球や蛍光灯等で構成される場合と比較して、発熱が少なく高輝度の発光を得ることができるという効果がある。
【発明を実施するための最良の形態】
【００３５】
以下、本発明の好ましい実施の形態について、添付図面を参照して説明する。図１は、本発明の第１実施の形態におけるライトパネル１の斜視図である。図２は、導光板２の正面図であり、図２（ａ）は、導光板２の光照射面２１側の正面図であり、図２（ｂ）は、導光板２の光反射面２２側の正面図である。図３は、図２（ａ）のＩＩＩ−ＩＩＩ線に対応したライトパネル１の断面図である。
【００３６】
なお、図１では、配線３１の一部分のみが図示されており、また、理解を容易とするために、透明な部材で構成される導光板２の光反射面２２側（図１紙面垂直方向奥側）の図示が省略されている。また、図２（ａ）では、導光板２の光反射面２２側（図２（ａ）紙面垂直方向奥側）に凹設されるＶ字溝２２ａが点線で図示されており、図２（ａ）及び図２（ｂ）では、配線３１の一部分のみが図示されている。また、図３では、導光板２の幅方向（図３左右方向）に沿うＶ字溝２２ａが点線で図示されており、また、理解を容易とするために、Ｖ字溝２２ａの数が省略されて図示されている。
【００３７】
図１に示すように、ライトパネル１は、写真フィルム等の表示体６に光を照射して広告や照明等の用途に用いるためのものであり、光を所定方向に導くための導光板２と、その導光板２の側面２ａに配設される発光体３と、導光板２との間に表示体６を挟持するための押さえ板５とを主に備えて構成され、ねじ部材７１，７２の螺合により導光板２と押さえ板５とが接合される。
【００３８】
導光板２は、アクリル樹脂、ガラス又はポリカーボネイト等から構成される略矩形状の板状部材であり、光が照射される光照射面２１と、その光照射面２１に対向して配置される光反射面２２（図２（ｂ）参照）と、導光板２の周縁に配置される枠状の導光板外枠部２３と、その導光板外枠部２３に形成される一対の収納部２４と、その一対の収納部２４と導光板外枠部２３の側面とを連通する連通溝２５と、導光板外枠部２３の４隅に穿設される接合穴２６と、導光板外枠部２３の長手方向両端側の側面に貼り付けられる側面反射部材２７と、収納部２４に収納される断面略コの字状の反射板２８とを主に備えて構成されている。
【００３９】
光照射面２１は、その面上に載置される表示体６を照射するための部位であり、表示体６の長手方向寸法値及び幅方向寸法値よりも大きい長手方向寸法値及び幅方向寸法値を有する略矩形状に形成されている。
【００４０】
光反射面２２は、上述したように、光照射面２１に対向して配置される部位であり、発光体３から照射された光を光照射面２１へ向けて反射させる。なお、詳細については後述する（図２参照）。
【００４１】
導光板外枠部２３は、導光板２と一体に形成される枠状部材であり、後述する押さえ板外枠部５２と接合可能に構成されている。
【００４２】
収納部２４は、導光板外枠部２３の厚み方向に貫通形成されるものであり、その長手方向寸法値が光照射面２１の長手方向寸法値と略同等に設定され、反射板２８が覆設された発光体３が収納可能に構成される。なお、詳細については後述する（図３参照）。
【００４３】
連通溝２５は、導光板外枠部２３について導光板２の光照射面２１側に凹設されて各収納部２４の長手方向一端側と導光板外枠部２３の側面とを連通する溝であり、その深さ寸法値ｔ４が後述する発光体３の配線３１の厚み寸法値ｔ５よりも大きく設定されて、配線３１が収納可能に構成されている。なお、詳細については後述する（図３参照）。
【００４４】
接合穴２６は、上述したように、導光板外枠部２３の４隅に穿設されるものであり、その内径寸法値がねじ部材７１の外径寸法値以上に設定されて、ねじ部材７１が挿通可能に構成されている。
【００４５】
側面反射部材２７は、上述したように、収納部２４の長手方向両端側における導光板外枠部２３の側面に貼り付けられる薄膜状のフィルムであり、光を反射可能な材料から構成されている。
【００４６】
反射板２８は、上述したように、収納部２４に収納される断面略コの字状の板状部材であり、光を反射可能な材料から構成されている。なお、詳細については後述する（図３参照）。
【００４７】
発光体３は、各収納部２４に収納されて導光板２の側面２ａへ向けて光を照射するためのものであり、その長手方向寸法値が光照射面２１の長手方向寸法値と略同等に設定されて、光照射面２１の長手方向全体を照射可能に構成されている。なお、発光体３は、発光ダイオードで構成されている。
【００４８】
配線３１は、発光体３に電気を供給するための経路であり、上述したように、連通溝２５に収納されている。
【００４９】
押さえ板５は、その長手方向寸法値及び幅方向寸法値が導光板外枠部２３の長手方向寸法値及び幅方向寸法値と略同等に設定されつつ略矩形状に形成されると共に、アクリル樹脂、ガラス又はポリカーボネイト等から構成される板状部材であり、光照射面２１に対応して配置される光透過性の窓部５１と、その窓部５１の周縁に配置される押さえ板外枠部５２と、その押さえ板外枠部５２の４隅に穿設される接合穴５３とを備えて構成される。
【００５０】
窓部５１は、導光板２と押さえ板５との間に挟持される表示体６を表示するために透明に構成される部位であり、その長手方向寸法値及び幅方向寸法値が表示体６の長手方向寸法値及び幅方向寸法値よりも小さく設定されている。
【００５１】
押さえ板外枠部５２は、光を遮断する有色材料から構成される枠状部材であり、導光板外枠部２３と接合することで、その導光板外枠部２３を覆い隠すように構成されている。
【００５２】
接合穴５３は、上述した接合穴２６と対応する位置に穿設されるものであり、その内径寸法値がねじ部材７１の外径寸法値以上に設定されて、ねじ部材７１が挿通可能に構成されている。
【００５３】
表示体６は、写真や広告等が印刷されたフィルムであり、導光板２と押さえ板５との間に挟持された状態で、窓部５１から表示される。
【００５４】
ねじ部材７１，７２は、その表面にねじ山がそれぞれ螺刻されるものであり、接合穴２６，５３に挿通されつつ螺合されることで、導光板２と押さえ板５とが接合される。
【００５５】
次に、図２（ａ）に示すように、光照射面２１と対向して配置される光反射面２２（図２（ｂ）参照）には、断面略Ｖ字状のＶ字溝２２ａが略格子状に凹設されている。
【００５６】
なお、Ｖ字溝２２ａは、導光板２の幅方向（図２（ａ）左右方向）に沿うＶ字溝２２ａ同士が略等間隔に配置され、一方、導光板２の長手方向（図２（ａ）上下方向）に沿うＶ字溝２２ａ同士の離間寸法値が導光板２の幅方向略中央に向かうに従い小さくなるように設定されている。
【００５７】
また、図２（ｂ）に示すように、薄膜状のフィルムで構成される反射部材４が光反射面２２全体に覆設されており、その反射部材４の長手方向（図２（ｂ）上下方向）寸法値及び幅方向（図２（ｂ）左右方向）寸法値が導光板２の長手方向寸法値及び幅方向寸法値と略同等に設定されている。
【００５８】
次に、図３に示すように、収納部２４は、導光板外枠部２３について導光板２の厚み方向（図３上下方向）に貫通形成され、発光体３及び反射板２８が配設されている。
【００５９】
発光体３は、導光板２の側面２ａへ向けて照射可能に配設されており、その発光体３について導光板２の厚み方向両端側（図３上下側）及び照射方向後方側（図３左右側）が断面略コの字状の反射板２８に覆われている。
【００６０】
反射板２８は、その導光板２の厚み方向における寸法値が導光板２の厚み寸法値ｔ２と略同等に設定され、その反射板２８について導光板２の厚み方向両端面が光照射面２１及び光反射面２２と面一となるように配設されている。
【００６１】
また、発光体３から照射される光は、その屈折角がＶ字溝２２ａにより変化して光照射面２１へ向けて照射される。その光照射面２１から照射される光は、光照射面２１上に載置される表示体６を照射して、その照射された表示体６が窓部５１に表示される。
【００６２】
ここで、図３に示すように、発光体３が導光板２の側面２ａに配設され、かつ、発光体３の厚み寸法値ｔ３が導光板２の厚み寸法値ｔ２よりも小さく設定されているので、発光体３が導光板２の反射面２２側に配設される従来のライトパネルと比較して、発光体３の厚さ分、ライトパネル１の厚み寸法値ｔ１を小さくすることができる。
【００６３】
また、発光体３は発光ダイオードで構成されているので、発光体３が発光ダイオードと同じ大きさの白熱電球や蛍光灯等で構成される場合と比較して、発熱が少なく高輝度の発光を得ることができる。
【００６４】
更に、発光体３が同じ光量の白熱電球や蛍光灯等で構成される場合と比較して、発光体３の大きさを小さくできる、即ち、発光体３の厚み寸法値ｔ３を小さくできるので、その分、導光板２の厚み寸法値ｔ２を小さくすることができる。
【００６５】
また、表示体６が導光板２と押さえ板２との間に挟持されているので、導光板２が光を光照射面２１へ導く機能と表示体６を挟持するための機能とを同時に達成することができ、表示体６を挟持するための受け板を別途配設することを不要として、その分、ライトパネル１の厚み寸法値ｔ１を小さくし、かつ、ライトパネル１の軽量化を図ることができる。
【００６６】
更に、受け板を別途配設することが不要となるので、部品点数を減少させて、その分、製品コストの低減及び製造能率の向上を図ることができる。
【００６７】
また、上述したように、発光体３が収納部２４に収納されているので、発光体３を保護するためのカバー部材を別途配設することが不要となる。
【００６８】
ここで、導光板２の側面２ａに発光体３が配設され、その発光体３が外部に露出するタイプのライトパネルでは、発光体３を保護するためのカバー部材を別途配設して、表示体６を挟持する押さえ板５及び受け板とカバー部材とが締め付け固定されるように構成されている。
【００６９】
これに対し、本発明のライトパネル１は、発光体３が収納部２４に収納されているので、発光体３を保護するためのカバー部材を別途配設することを不要として、その分、ライトパネル１の厚み寸法値ｔ１を小さくし、かつ、ライトパネル１の軽量化を図ることができる。
【００７０】
更に、カバー部材を別途配設することが不要となるので、部品点数を減少させて、その分、製品コストの低減及び製造能率の向上を図ることができる。
【００７１】
また、かかる収納部２４は、上述したように、導光板外枠部２３の厚み方向（図３上下方向）に貫通形成されているので、導光板外枠部２３について導光板２の光照射面２１側（図３上側）又は光反射面２２側（図３下側）のみを凹設して収納部２４を形成する場合と比較して、収納部２４の加工を容易として、その分、加工コストの低減を図ることができる。
【００７２】
更に、収納部２４は、導光板外枠部２３の厚み方向に貫通形成されているので、導光板外枠部２３の側面を切欠して収納部２４を形成する場合と比較して、導光板外枠部２３の剛性を確保できるので、導光板２３が損傷することを抑制できる。
【００７３】
また、収納部２４に収納される発光体３は、その発光体３について導光板２の厚さ方向両端側及び照射方向後方側が反射板２８に覆われているので、反射板２８が収納部２４について導光板２の厚さ方向両端側及び照射方向後方側から光を漏出させることなく反射させて、光照射面２１における輝度を確保することができる。
【００７４】
更に、発光体３は、断面略コの字状の反射板２８に覆われているので、発光体３を反射板２８に配設した状態で収納部２４に収納することができる。
【００７５】
ここで、反射板２８が収納部２４について導光板２の厚み方向両端側にそれぞれ配設される場合では、発光体３を収納部２４に収納する収納工程と、その収納工程の後で反射板２８を収納部２４について導光板２の厚み方向両端側にそれぞれ配設する反射板配設工程とを行う必要がある。
【００７６】
これに対し、反射板２８が断面略コの字状に形成される場合では、上述したように、発光体３を反射板２８に配設した状態で収納部２４に収納することができるので、作業工程を減少させて、その分、作業能率の向上を図ることができる。
【００７７】
また、上述したように、反射板２８の厚み方向における寸法値が導光板２の厚み寸法値ｔ２と略同等に設定されているので、反射板２８について導光板２の厚み方向両端側を光照射面２１及び光反射面２２と面一にして、反射板２８が光照射面２１又は光反射面２２からはみ出すことを防止できる。
【００７８】
また、上述したように、連通溝２５の深さ寸法値ｔ４が配線３１の厚み寸法値ｔ５よりも大きく設定されているので、連通溝２５内に配線３１を収納することで配線３１が導光板外枠部２３からはみ出すことを防止して、その分、ライトパネル１の厚み寸法値ｔ１が大きくなることを防止することができる。
【００７９】
また、連通溝２５は、導光板外枠部２３について導光板２の光照射面２１側を凹設して形成されているので、連通溝２５が導光板外枠部２３において導光板２の厚み方向に貫通形成されて導光板外枠部２３の剛性が低下することを抑制して、導光板外枠部２３が損傷することを防止することができるという効果がある。
【００８０】
更に、連通溝２５は、導光板外枠部２３について導光板２の光照射面２１側を凹設して形成されているので、連通溝２５に収納された配線３１を導光板２の押さえ板５により保持することができる。
【００８１】
その結果、配線３１を連通溝２５内に保持するための保持部材を別途配設することが不要となるので、部品点数を減少させて、その分、製品コストの低減を図ることができるという効果がある。
【００８２】
また、Ｖ字溝２２ａ同士の離間寸法値は、上述したように、導光板２の幅方向（図３左右方向）略中央に向かうに従い小さくなる、即ち、発光体３から離間するに従い小さくなるように設定されているので、発光体３から離間するに従い多くの光を光照射面２１へ導いて、光照射面２１における輝度分布を均一化することができる。
【００８３】
また、上述したように、収納部２４は、導光板２の側面２ａに沿って形成されているので、収納部２４が導光板２の長手方向両端側の側面に沿って形成される場合と比較して、発光体３同士の離間寸法値を小さくすることができ、かつ、発光体３自体の長さを長くすることができるので、発光体３の光量を確保して、その分、光照射面２１における輝度を確保することができる。
【００８４】
また、反射部材４が光反射面２２に覆設されているので、光照射面２２から光を外部に漏出させることなく反射させて、光照射面２１における輝度を確保することができる。
【００８５】
更に、反射部材４は、上述したように、薄膜状のフィルムで構成されているので、導光板２の厚み寸法値ｔ２が大きくなることを抑制して、その分、ライトパネル１の厚み寸法値ｔ１が大きくなることを抑制することができる。
【００８６】
また、側面反射部材２７が収納部２４の長手方向両端側における導光板外枠部２３の側面に貼り付けられているので、その側面反射部材２７が貼り付けられた側面から光を外部に漏出させることなく反射させて、光照射面２１における輝度を確保することができる（図１参照）。
【００８７】
次に、図４を参照して、第２実施の形態について説明する。第１実施の形態では、導光板２の側面２ａに一対の発光体３が配設されて構成される場合を説明したが、第２実施の形態では、導光板１０２の側面２ａに１つの発光体３のみが配設されて構成されている。なお、上記した第１実施の形態と同一の部分には同一の符号を付して、その説明は省略する。
【００８８】
図４は、第２実施の形態におけるライトパネル１０１の断面図である。なお、図４では、導光板１０２の幅方向（図４左右方向）に沿うＶ字溝１２２ａが点線で図示されており、また、理解を容易とするために、Ｖ字溝１２２ａの数が省略されて図示されている。
【００８９】
図４に示すように、第２実施の形態における導光板１０２は、その幅方向一端側（図４左側）の側面２ａに配置されると共に、導光板外枠部２３について導光板１０２の厚み方向（図４上下方向）に貫通形成される収納部１２４を備え、その収納部１２４に発光体３及び反射板２８が配設されている。
【００９０】
また、導光板１０２の光反射面２２側（図４下側）には、断面略Ｖ字状のＶ字溝１２２ａが略格子状に凹設され、導光板１０２の長手方向（図４紙面垂直方向）に沿うＶ字溝１２２ａ同士の離間寸法値が、発光体３から離間するに従い小さくなるように設定されている。
【００９１】
そして、発光体３から照射される光は、その屈折角がＶ字溝１２２ａにより変化して光照射面２１へ向けて照射される。その光照射面２１から照射される光は、光照射面２１上に載置される表示体６を照射して、その照射された表示体６が窓部５１に表示される。
【００９２】
ここで、発光体３は、上述したように、導光板１０２の幅方向一端側の側面２ａに１つ配設されているので、発光体３を導光板１０２の幅方向両端側の側面２ａにそれぞれ配設する場合と比較して、発光体３の消費電力を抑制することができる。
【００９３】
また、Ｖ字溝１２２ａ同士の離間寸法値は、発光体３から離間するに従い小さくなるように設定されているので、発光体３から離間するに従い多くの光を光照射面２１へ導く。その結果、発光体３が導光板１０２の幅方向一端側の側面２ａのみに配設される場合においても、光照射面２１における輝度分布の均一化を図ることができる。
【００９４】
次に、図５を参照して、第３実施の形態について説明する。第１実施の形態では、導光板外枠部２３が導光板２の長手方向側及び幅方向側の側面に配置されつつ導光板２と一体に形成されている場合を説明したが、第３実施の形態では、導光板外枠部２２３が導光板２０２の長手方向両端側（図５上下側）の側面に配置されつつ導光板２０２と一体に形成されている。なお、上記した各実施の形態と同一の部分には同一の符号を付して、その説明は省略する。
【００９５】
図５は、第３実施の形態における導光板２０２の正面図である。なお、図５では、配線３１の一部のみが図示されており、また、導光板２０２の図示しない光反射面２２側（図５紙面垂直方向奥側）に凹設されるＶ字溝２２ａが点線で図示されている。
【００９６】
図５に示すように、第３実施の形態におけるライトパネル２０１を構成する導光板２０２は、導光板２０２の長手方向両端側の側面に導光板外枠部２２３が配設され、その導光板外枠部２２３が導光板２０２と一体に形成されている。
【００９７】
収納部２２４は、導光板外枠部２２３と導光板２０２の幅方向両端側（図５左右側）の側面２０２ａとにより画定されるものであり、その収納部２２４に発光体３（図示せず）及び反射板２８が配設されている。
【００９８】
ここで、収納部２２４は、平板部材の幅方向両端側をコの字状に切欠されて形成されるものであり、平板部材の厚さ方向に貫通形成する場合と比較して、加工を容易として、加工コストの低減を図ることができる。
【００９９】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【０１００】
例えば、第１実施の形態では、収納部２４が導光板２の側面２ａに沿って一対形成されているが、必ずしもこれに限られるものではなく、導光板２の長手方向両端側及び幅方向両端側の側面に沿って収納部２４を形成し、その収納部２４に発光体３を配設するように構成しても良い。これにより、導光板２の全側面から光が照射されるので、発光体３の光量を確保して、その分、光照射面２１における輝度を確保することができる。
【０１０１】
ただし、導光板２の長手方向両端側の側面に沿って発光体３を配設する場合には、導光板２の幅方向に沿うＶ字溝２２ａ同士の離間寸法値を、導光板２の長手方向略中央に向かうに従い小さくすることが望ましい。
【０１０２】
これにより、導光板２の長手方向両端側に配設される発光体３から離間するに従い多くの光を光照射面２１へ導いて、光照射面２１における輝度分布を均一化することができる。
【０１０３】
また、複数の発光体３を配設する場合には、各発光体３が照射する光の色を異なるように配設し、かつ、各発光体３のＯＮ・ＯＦＦをそれぞれ制御できるように構成しても良い。これにより、光照射面２１を多様な色で照射することができる。
【図面の簡単な説明】
【０１０４】
【図１】本発明の第１実施の形態におけるライトパネルの斜視図である。
【図２】導光板の正面図であり、（ａ）は、導光板の光照射面側の正面図であり、（ｂ）は、導光板の光反射面側の正面図である。
【図３】図２（ａ）のＩＩＩ−ＩＩＩ線に対応したライトパネルの断面図である。
【図４】第２実施の形態におけるライトパネルの断面図である。
【図５】第３実施の形態における導光板の正面図である。
【符号の説明】
【０１０５】
１，１０１，２０１    ライトパネル
２，１０２，２０２    導光板
２ａ，２０２ａ        側面（導光板の側面）
３                    発光体
４                    反射部材
５                    押さえ板
６                    表示体
２１                  光照射面
２２                  光反射面
２３，２２３          導光板外枠部
２４，１２４，２２４  収納部
２７                  側面反射部材
２８                  反射板
２５                  連通溝
３１                  配線
ｔ５                  配線の厚み寸法値
【図１】
2007123133.tif 000003
【図２】
2007123133.tif 000004
【図３】
2007123133.tif 000005
【図４】
2007123133.tif 000006
【図５】
2007123133.tif 000007